(57)【要約】【課題】看視者が付き添っているときと、付き添っていないときとで異なる監視を自動的に切り替えて行うことができる看視装置を提供する。【解決手段】看視室１に設置され被看視者３の起き上がりを検出する被看視者用センサ10と、看視室１に設置され看視者６の存在を検出する看視者用センサ11と、報知手段18と、制御装置13とを備える。制御装置13は、被看視者用センサ10及び看視者用センサ11と有線又は無線でそれぞれ接続され、被看視者用センサ10が被看視者３の起き上がりを検出し看視者用センサ11が看視者６の不在を検出したときのみ、制御装置13によって自動的に報知手段18が作動する。このため看視者６はベッド５より離れて用事を安心して行うことができる。【選択図】図１
2008059487.tif 000002
【特許請求の範囲】
【請求項１】
看視室に設置され被看視者を検出する被看視者用センサと、
前記看視室に設置され看視者を検出する看視者用センサと、
報知手段とを備え、
前記被看視者用センサ及び看視者用センサと有線又は無線でそれぞれ接続され、前記被看視者用センサが被看視者を検出したとき前記看視者用センサが看視者を検出しないときに、又は前記看視者用センサが看視者を検出しないとき前記被看視者用センサが被看視者を検出したときに、前記報知手段を作動させる制御装置とを備えたことを特徴とする看視装置。
【請求項２】
前記報知手段が前記看視室又は及び該看視室とは別の集中看視室に設けられたことを特徴とする請求項１記載の看視装置。
【請求項３】
前記被看視者用センサがベッド又は床に敷いた敷布団の近傍に設けられたことを特徴とする請求項１又は２に記載の看視装置。
【請求項４】
前記制御装置に有線又は無線で接続されている呼出し操作部が前記ベッド又は前記敷布団の近傍に設けられたことを特徴とする請求項３記載の看視装置。
【請求項５】
前記被看視者用センサ及び看視者用センサの少なくとも一方が非接触式であることを特徴とする請求項１〜４のいずれか１項に記載の看視装置。
【請求項６】
前記センサが赤外線センサであることを特徴とする請求項１〜５のいずれか１項に記載の看視装置。
【請求項７】
看視室に設置され被看視者を検出する被看視者用センサと、
前記看視室に設置され看視者を検出する看視者用センサと、
報知手段とを備え、
前記被看視者用センサ及び看視者用センサと有線又は無線でそれぞれ接続され、前記被看視者用センサが被看視者を検出したとき前記看視者用センサが看視者を検出しないときに、又は前記看視者用センサが看視者を検出しないとき前記被看視者用センサが被看視者を検出したときに、前記報知手段を作動させることを特徴とする看視方法。
【発明の詳細な説明】
【技術分野】
【０００１】
本発明は、入院患者、要介護者及び乳幼児等の介護や保護する必要がある者がベッドや床に敷いた敷布団から離れるに当たり看視するため等に用いられる看視装置に関するものである。
【背景技術】
【０００２】
従来、身体障害を持ち、自力での日常生活動作が困難で、かつ注意力障害を併せ持つ注意力障害の障害者は、ナースコールを押すことを忘れたり、一人でできるような気がして行動を起こす場合が多いが、このような場合であって、付き添いの人がいないときには、ナースコールを押さずに一人で車椅子やポータブルトイレに移ろうとしてベッドから離れた直後に転倒するという事故が生じやすい。このように身体障害を持ち、自力での日常生活動作が困難で、かつ注意力障害を併せ持つ患者の転倒事故発生を未然に防止するために、障害者がナースコールを押さなくても、ベッドから離れるという行動を起こし始めた時点で自動的に当該障害者の行動をナースセンタにて把握することができるものとして、基地局と別の部屋内のベッドに付設され、被介護者が当該ベッドから離れようとしていることを検出するセンサであって、前記ベッドのマットレスの下側で、被介護者の肩甲骨部と腰部を支える位置に設置され、被介護者の体重の移動を感知する体重センサを少なくとも含むセンサと、当該センサからの信号によって作動開始が制御される当該基地局と別の部屋に設置されている赤外線ＣＣＤカメラと、基地局に設置されていて前記赤外線ＣＣＤカメラと有線又は無線で接続されている中央制御装置と、当該中央制御装置に備えられていて、前記赤外線ＣＣＤカメラからの有線又は無線を介した信号に基づいて作動を開始し前記赤外線ＣＣＤカメラで捕らえた画像を表示する手段とで構成され、赤外線ＣＣＤカメラには赤外線照明装置が付設されている安全管理システムが知られている（例えば、特許文献１）。
【特許文献１】特許第３１９８４１２号公報
【発明の開示】
【発明が解決しようとする課題】
【０００３】
しかし、比較的重症の障害者の場合には、障害者に常時介護者が付き添う必要がある。そして、介護者が付き添っている場合には障害者を介護者が看視、すなわち警戒して見守って介護することになるので、機械的に監視、すなわち注意して見張る必要はない。しかしながら、介護者がトイレに行くなどの用事ができたときには、機械的に監視する必要がある。
【０００４】
従来技術においては、介護者が付き添っていても障害者の離床を検知し作動してしまうというおそれがあった。そのためには、介護者が付き添っている場合には、機械的に監視状態を解除するために看視装置の解除スイッチを操作しなければならず、一方再び付き添う場合には介護者がスイッチを入れなければならないという煩雑な作業をしなければならないばかりか、スイッチを入れ忘れると不測の事態になってしまうおそれもある。
【０００５】
解決しようとする問題点は、被看視者の移動を検出する被看視者用センサを備えた看視装置において、看視者が付き添っているときと、付き添っていないときとで異なる監視を自動的に切り替えて行うことができる看視装置を提供する点である。
【課題を解決するための手段】
【０００６】
請求項１の発明は、看視室に設置され被看視者を検出する被看視者用センサと、前記看視室に設置され看視者を検出する看視者用センサと、報知手段とを備え、前記被看視者用センサ及び看視者用センサと有線又は無線でそれぞれ接続され、前記被看視者用センサが被看視者を検出したとき前記看視者用センサが看視者を検出しないときに、又は前記看視者用センサが看視者を検出しないとき前記被看視者用センサが被看視者を検出したときに、前記報知手段を作動させる制御装置とを備えたことを特徴とする看視装置である。
【０００７】
請求項２の発明は、前記報知手段が前記看視室又は及び該看視室とは別の集中看視室に設けられたことを特徴とする請求項１記載の看視装置である。
【０００８】
請求項３の発明は、前記被看視者用センサがベッド又は床に敷いた敷布団の近傍に設けられたことを特徴とする請求項１又は２に記載の看視装置である。
【０００９】
請求項４の発明は、前記制御装置に有線又は無線で接続されている呼出し操作部が前記ベッド又は前記敷布団の近傍に設けられたことを特徴とする請求項３記載の看視装置である。
【００１０】
請求項５の発明は、前記被看視者用センサ及び看視者用センサの少なくとも一方が非接触式であることを特徴とする請求項１〜４のいずれか１項に記載の看視装置である。
【００１１】
請求項６の発明は、前記センサが赤外線センサであることを特徴とする請求項１〜５のいずれか１項に記載の看視装置である。
【００１２】
請求項７の発明は、看視室に設置され被看視者を検出する被看視者用センサと、前記看視室に設置され看視者を検出する看視者用センサと、報知手段とを備え、前記被看視者用センサ及び看視者用センサと有線又は無線でそれぞれ接続され、前記被看視者用センサが被看視者を検出したとき前記看視者用センサが看視者を検出しないときに、又は前記看視者用センサが看視者を検出しないとき前記被看視者用センサが被看視者を検出したときに、前記報知手段を作動させることを特徴とする看視方法である。
【発明の効果】
【００１３】
請求項１の発明によれば、被看視者が起き上がって被看視者の監視エリアに入り、そして看視者が付き添っていない不在状態を看視者用センサが監視することで、制御装置は自動的に報知手段を作動せしめるので、看視者はベッドより離れて各種の用事を安心して行うことができる。
【００１４】
請求項２の発明によれば、看視室や看視者が常駐する集中看視室で、看視者が付き添っていないときに、被看視者が起き上がったことを看視者に確実に報知することができる。
【００１５】
請求項３の発明によれば、ベッド又は敷布団に伏している被看視者を被看視者用センサが確実に監視することができる。
【００１６】
請求項４の発明によれば、被看視者が呼出し操作部を操作することで制御装置を介して報知手段、集中報知手段を作動して、看視者を任意に呼ぶことができる。
【００１７】
請求項５の発明によれば、センサが非接触式であるので、センサを看視室の床、例えばベッド周りの床ではなく壁や天井或いは邪魔にならない床に配置でき、室内の移動を阻害するようなことを阻止できる。
【００１８】
請求項６の発明によれば、被看視者エリアや看視者エリアを確実に監視することができる。
【００１９】
請求項７の発明によれば、被看視者が起き上がって被看視者の監視エリアに入り、そして看視者が付き添っていない不在状態を看視者用センサが監視することで、自動的に報知手段を作動せしめ、看視者はベッドより離れて各種の用事を安心して行うことができる。
【発明を実施するための最良の形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２１】
図１〜３は実施例１を示しており、病院の病室、福祉関係や老人ホームなどの施設の部屋のような看視室１の床２上には、被介護者である被看視者３が寝起きする監視エリア（ターゲットエリア）４たるベッド５が配置されると共に、そのベッド５の脇には被看視者３に付き添う介護者である看視者６が座るための監視エリア（ターゲットエリア）７たる椅子８が配置されている。そして看視室１の壁９に被看視者用センサ10と看視者用センサ11が設けられている。これら被看視者用センサ10と看視者用センサ11はそれぞれ赤外線、超音波等電磁波式或いは電磁誘導式のような非接触式人体検知センサ（ターゲットセンサ）であって、具体的には赤外線焦電素子を備えた赤外線検地式センサによって形成されており、その検知エリアの挟角Ａは概ね３０度に設定されている。尚、被看視者用センサ10と看視者用センサ11の少なくとも一方が非接触式であればよい。
【００２２】
被看視者用センサ10はベッド５の近傍に配置されており、被看視者３の離床、すなわちベッド５から起き上がる被看視者３の移動を検出するものである。尚、被看視者用センサ10は被看視者３の離床のため起き上がるときを検知するために、被介護者検知エリアは、ベッド５よりもやや上方、すなわち被看視者３が起き上がったときにその頭部や肩を検知するような高さに設定されている。
【００２３】
看視者用センサ11は、被看視者用センサ10と取り付けケース12によって一体的となって、椅子８、ひいてはベッド５の近傍に配置されたものであって、看視者６が所定の監視エリア７に存在するか否かを検出するものであり、実施例の場合には椅子８に向かって監視エリア７が設定されている。尚、被看視者用センサ10、看視者用センサ11共に、継続して検知してもよいが、断続的に検知するようにしてもよい。
【００２４】
さらに、壁９にはボックス状の制御装置13が配置されている。尚、制御装置13は床２に設置してもよい。この制御装置13には、被看視者用センサ10及び看視者用センサ11と有線又は無線でそれぞれ接続されており、制御装置13は被看視者用センサ10及び看視者用センサ11との入力接続部14、該接続部14に接続するＣＰＵなどの判定手段等とも称する演算部15、メモリ部16、該演算部15からの信号を出力するための出力接続部17、この出力を警報として報知するための通報手段、警報手段等とも称する報知手段18と、これら入力接続部14、演算部15、出力接続部17、報知手段18を作動させるために電源コード19に接続された電気を供給する電源部20とを備えている。尚、報知手段18としては音により報知するスピーカー、ブザーなど、或いは光により報知するランプ、ＬＥＤ、モニタなどディスプレー、さらには振動により報知する振動板、その他の看視者６に注意を促すものであればよい。
【００２５】
そして、制御装置13においては図３（Ａ）に示すように被看視者用センサ10が被看視者３の離床、すなわち起き上がりを検出するとその情報が入力接続部14より演算部15に入力し、同時に看視者用センサ11が看視者６の有無、監視エリア７に看視者６の存在、或いは不在を検出するとその情報が入力接続部14より演算部15に入力する。そして、演算部15では被看視者３のベッド５で起き上がった状態で、看視者６が不在の状態の場合には、看視者６不在の信号を出すように演算し、その出力は出力接続部17を介して報知手段18を作動する。この報知手段18によって、被看視者３が起き上がっているが、そばに介護者が付き添っていない状態を、音、光或いは振動によって看視者６やその他の人に報知できるようになっている。また1、被看視者用センサ10が被看視者３の起き上がりを検知したときであっても、看視者用センサ11が看視者６の存在を監視、検知している状態では、看視者６が被看視者３に付き添っていると判断するので制御装置13は報知手段18を作動しないようになっている。さらに、被看視者用センサ10が被看視者３の離床を検知しないときは、被看視者用センサ10が検知しない状態が続いて、看視者用センサ11が看視者６の存在、不存在いずれの検知状態であっても制御装置13は報知手段18を作動しない。
【００２６】
また、制御装置13にはナースコールスイッチ等と称する呼出し操作部21が接続されている。この呼出し操作部21は、ベッド５の脇に配置されており、制御装置13とは有線又は無線で接続されている。そして、呼出し操作部21の出力は、入力接続部14、演算部15、出力接続部17を介して報知手段18を作動できるようになっている。さらに、複数の被看視者３を集中して監視するためのナースセンタ等と称する集中看視室22に配置された報知手段18と同様な集中報知手段23に、それぞれの制御装置13の出力接続部17が有線又は無線で接続されている。
【００２７】
次に前記構成についてその作用を説明する。ベッド５に被看視者３が伏しており、椅子８（監視エリア７）に看視者６が座っているときには、被看視者用センサ10は離床、すなわち起き上がりを検出しない状態にあり、看視者用センサ11は看視者６の存在を検知した状態にある。このときには、被看視者用センサ10、看視者用センサ11からの送信により制御装置13によって報知手段18、集中報知手段23は作動しないように制御されている。
【００２８】
また、ベッド５に被看視者３が伏しており、椅子８（監視エリア７）に看視者６が座っていないときには、被看視者用センサ10は離床、すなわち起き上がりを検出しない状態にあり、看視者用センサ11は不在を検出する状態にある。このときには、制御装置13は、看視者６が不在であっても被看視者３が伏しているので報知手段18、集中報知手段23を作動しない。
【００２９】
そして、ベッド５から被看視者３が起き上がって離床すると、その被看視者３の頭部、肩、或いは腕などが被看視者の監視エリア４に入り被看視者用センサ10によって検知され、この検知が制御装置13に送信される。このとき椅子８（監視エリア７）に看視者６が座って付き添っている場合、すなわち看視者６の監視エリア７に入っているときには、看視者６の存在を検出する状態にある。このときには、制御装置13によって報知手段18、集中報知手段23は作動しないように制御されている。
【００３０】
一方、椅子８（監視エリア７）に看視者６が座っておらず、すなわち看視者６が監視エリア７におらずに付き添っていない場合には、ベッド５から被看視者３が起き上がって離床して被看視者３の監視エリア４に入ると、これを被看視者用センサ10は検知して制御装置13に送信する。そして看視者用センサ11は監視エリア７に不在のために看視者６の不在を検出してこの検出を制御装置13に送信する。この状態で制御装置13は、被看視者３が離床したにも拘らず看視者６が付き添っていないことを判断して、報知手段18を作動して音、光或いは振動等によって付き添いしている看視者６に報知する。この報知を知った看視者６はベッド５にいる被看視者３に戻って被看視者３を介護する。同時に看視者６が監視エリア７に戻るとこれを看視者用センサ11が検知すると共に、この検知を制御装置13に送信して看視者６の存在を検出し、報知手段18、集中報知手段23は作動しないように戻って制御される。
【００３１】
さらに、被看視者３が看視者６に付き添われてトイレなどに移動する場合には、監視エリア４に被看視者３は存在せず、このために被看視者用センサ10は検知しないでこれを制御装置13に送信する。また、看視者用センサ11は検知しないでこれを制御装置13に送信する。この送信によって制御装置13を介して報知手段18、集中報知手段23は作動しない。そして、被看視者３が看視者６に付き添われてベッド５に戻ってきて、ベッド５に乗ると、被看視者３の頭部、肩、或いは腕などが被看視者用センサ10によって検知され、この検知が制御装置13に送信される。このとき監視エリア７に看視者６が居て付き添っているので、看視者６の存在を検知し、制御装置13によって報知手段18、集中報知手段23は作動しないように制御されている。
【００３２】
尚、図３（Ｂ）に示すように、看視者用センサ11が看視者６の不在を検出し、そして被看視者用センサ10が被看視者３の起き上がりを検出したときのみに報知手段18、集中報知手段23を作動させようにしてもよい。
【００３３】
以上のように、前記実施例では請求項１に対応して、看視室１に設置され被看視者３の起き上がりを検出する被看視者用センサ10と、看視室１に設置され看視者６の存在を検出する看視者用センサ11と、報知手段18と、被看視者用センサ10及び看視者用センサ11と有線又は無線でそれぞれ接続され、被看視者用センサ10が被看視者３の起き上がり、すなわち監視エリア４への侵入を被看視者用センサ10で検出したとき、看視者用センサ11が看視者６の不在、すなわち監視エリア７に看視者６が入っていない状態を看視者用センサ11が検出したときに、又は看視者用センサ11が看視者６の不在を検出したとき被看視者用センサ10が被看視者３の起き上がりを検出したときに、報知手段18を作動させる制御装置13とを備えたことによって、看視者６が付き添っていないときに、被看視者３が離床するときのみ、看視者用センサ11によって自動的に報知手段18が作動することができるようになるので、看視者６はベッド５より離れてトイレ等の用事を安心して行うことができる。
【００３４】
前記実施例では請求項２に対応して、報知手段18が看視室１又は及び該看視室１とは別の集中看視室22に設けられることによって、ベッド５が配置された看視室１や看視者が常駐する集中看視室22で、看視者６が付き添っていないときに、被看視者３が離床したことを報知できるので、看視者６に確実に報知することができる。
【００３５】
前記実施例では請求項３に対応して、被看視者用センサ10がベッド５の近傍に設けられて被看視者３の離床を検出することにより、ベッド５に伏している被看視者３を被看視者用センサ10が確実に監視することができる。
【００３６】
前記実施例では請求項４に対応して、制御装置13に有線又は無線で接続されている呼出し操作部21をベッド５の近傍に設けたことによって、ベッド５に伏している被看視者３が呼出し操作部21を操作することで制御装置13を介して報知手段18、集中報知手段23を作動して、看視者６を任意に呼ぶことができる。
【００３７】
前記実施例では請求項５に対応して、前記被看視者用センサ10及び看視者用センサ11の少なくとも一方が、電磁波式の非接触式であるので、床２に配置するマットのようなセンサに比較して看視室１に邪魔なものがなく、床２上を動きやすくできる。
【００３８】
前記実施例では請求項６に対応して、前記被看視者用センサ10及び看視者用センサ11がそれぞれ赤外線センサであるので、監視エリア４や監視エリア７を確実に監視することができる。
【実施例２】
【００３９】
次に他の実施例について説明する。尚、前記実施例１と同一部分には同一符号を付し、その詳細な説明を省略する。図４に示す実施例２では壁９に取り付けた被看視者用センサ10を、ベッド５の脇の床２に設定した監視エリア４に向けたものである。
【００４０】
従って、椅子８（監視エリア７）に看視者６が座っておらず付き添っていない場合、ベッド５から被看視者３が起き上がって、床２の監視エリア４に足が侵入すると、これを被看視者用センサ10は検知して制御装置13に送信する。そして看視者用センサ11は看視者６の不在を検出してこの検出を制御装置13に送信する。この状態で制御装置13は、被看視者３が離床したにも拘らず看視者６が付き添っていないことを判断して、報知手段18を作動して音、光或いは振動等によって付き添いしている看視者６に報知する。この報知を知った看視者６はベッド５にいる被看視者３に戻って被看視者３を介護する。同時に看視者６が監視エリア７に戻るとこれを看視者用センサ11が検知し、報知手段18、集中報知手段23は作動しない。
【００４１】
このように、被看視者用センサ10を、ベッド５の脇の床２に設定した監視エリア４に向けたことにより、足をつくとスイッチが作動するようなマットセンサーの機能を果たすが、その際には足元にマットセンサーが設けられずに済み、足元に邪魔なものがなくなる。
【００４２】
そして、実施例１と同様に看視者６が付き添っていないときに、被看視者３が離床するときのみ、看視者用センサ11によって報知手段18が作動することができるようになるので、看視者６はベッド５より離れてトイレ等の用事を安心して行うことができる。
【実施例３】
【００４３】
図５に示す実施例３では看視室１の天井24に取り付けた被看視者用センサ10を、ベッド５の脇の床２に設定した監視エリア４に向け、さらに看視者用センサ11を、椅子８に設定した監視エリア７に向けたものである。
【００４４】
従って、椅子８（監視エリア７）に看視者６が座っておらず付き添っていない場合、ベッド５から被看視者３が起き上がって、床２の監視エリア４に足が侵入すると、これを被看視者用センサ10は検知して制御装置13に送信する。そして看視者用センサ11は看視者６の不在を検出してこの検出を制御装置13に送信する。この状態で制御装置13は、被看視者３が離床したにも拘らず看視者６が付き添っていないことを判断して、報知手段18を作動して音、光或いは振動等によって付き添いしている看視者６に報知する。
【００４５】
そして、実施例１と同様に看視者６が付き添っていないときに、被看視者３が離床するときのみ、看視者用センサ11によって報知手段18が作動することができるようになるので、看視者６はベッド５より離れてトイレ等の用事を安心して行うことができる。
【産業上の利用可能性】
【００４６】
以上のように本発明にかかる看視装置は、幼稚園や保育園、さらには一般の家庭など各種の用途に適用できる。また、被看視者用センサが床に敷いた敷布団の近傍に設けられるような場合でもよい。
【図面の簡単な説明】
【００４７】
【図１】実施例１を示す斜視図である。
【図２】同ブロック図である。
【図３】同、図３（Ａ）は流れ図であり、図３（Ｂ）は別の流れ図である。
【図４】実施例２を示す斜視図である。
【図５】実施例３を示す斜視図である。
【符号の説明】
【００４８】
１  看視室
３  被看視者
５  ベッド
６  看視者
10  被看視者用センサ
11  看視者用センサ
13  制御装置
18  報知手段
21  呼出し操作部
22  集中看視室
【図１】
2008059487.tif 000003
【図２】
2008059487.tif 000004
【図３】
2008059487.tif 000005
【図４】
2008059487.tif 000006
【図５】
2008059487.tif 000007